(57)【要約】      （修正有）【課題】刺激を与える対象の人間の身体表面に、特に低出力レーザー治療用の、刺激装置を位置決めするよう構成された位置決め装置を提供する。【解決手段】刺激装置２００を収容し、身体表面１に着脱可能に配置するよう構成された付着要素と、付着要素に固定して接続されたアンテナ装置１２０であって、刺激装置を制御する制御信号を受信するよう配置されたアンテナ装置と、付着要素に固定して接続された保持接触部であって、刺激装置との電気的接触を形成するために配置される保持接触部と、付着要素に固定して接続され、アンテナ装置および保持接触部の間に電気的に相互接続される切り替え装置１４０とを備える。また、人間の刺激治療を行うよう構成された位置決め装置１００および刺激装置を備える治療装置３００、刺激システムである。【選択図】図２
2016052505.tif 000002
【特許請求の範囲】
【請求項１】
刺激を与える対象の人間の身体表面（１）に、特に低出力レーザー治療用の、刺激装置（２００）を位置決めするよう構成され、
前記刺激装置（２００）を収容し、前記身体表面（１）に着脱可能に配置するよう構成された付着要素（１１０）と、
前記付着要素（１１０）に固定して接続されたアンテナ装置（１２０）であって、前記刺激装置（２００）を制御する制御信号を受信するよう配置されたアンテナ装置（１２０）と、
前記付着要素（１１０）に固定して接続された保持接触部（１３０）であって、前記刺激装置（２００）との電気的接触を形成するために配置される保持接触部（１３０）と、を備える位置決め装置（１００）であって、
前記付着要素（１１０）に固定して接続され、前記アンテナ装置（１２０）および前記保持接触部（１３０）の間に電気的に相互接続される切り替え装置（１４０）を備えることを特徴とする、位置決め装置。
【請求項２】
請求項１に記載の位置決め装置であって、
前記付着要素（１１０）は、
前記身体表面（１）と接触するよう配置される少なくとも１の付着層（１１１）と、
前記アンテナ装置（１２０）および前記切り替え装置（１４０）を保持し、さらに前記刺激装置（２００）を収容する収容部を形成するよう構成される保持ウェブ（１１２）と、を備える位置決め装置。
【請求項３】
請求項２に記載の位置決め装置であって、
前記アンテナ装置（１２０）および前記切り替え装置（１４０）は、前記保持ウェブ（１１２）の外表面に配置され、
前記保持接触部（１３０）は、前記保持ウェブ（１１２）によって形成される前記収容部の内側に配置される、位置決め装置。
【請求項４】
請求項１から請求項３までのいずれか１項に記載の位置決め装置であって、
前記刺激装置（２００）が前記位置決め装置（１００）に連結されているとき、前記アンテナ装置（１２０）および前記切り替え装置（１４０）の間の電気的接続の長さは、前記保持接触部（１３０）を介した前記切り替え装置（１４０）から前記刺激装置（２００）への電気的接続の長さよりも短い、位置決め装置。
【請求項５】
請求項１から請求項４までのいずれか１項に記載の位置決め装置であって、
前記保持接触部（１３０）は２つの接点（１３１）を含み、
前記切り替え装置（１４０）は、前記アンテナ装置（１２０）により受信される制御信号に応えて、前記接点（１３１）を電気的に接続するよう構成される、位置決め装置。
【請求項６】
請求項１から請求項５までのいずれか１項に記載の位置決め装置であって、
前記付着要素（１１０）は、使い捨て要素であり、特に絆創膏の形をとる、位置決め装置。
【請求項７】
人間の刺激治療を行うよう構成された治療装置（３００）であって、
請求項１から請求項６のいずれか１項に記載の位置決め装置（１００）と、
少なくとも１の刺激ユニット（２１０，２２０）と、前記少なくとも１の刺激ユニット（２１０，２２０）に電力を供給する電源部（２３０）と、刺激装置接触部（２５０）とを含む刺激装置（２００）とを備え、
前記刺激装置（２００）は、前記位置決め装置（１００）に連結され、
前記刺激装置接触部（２５０）は、前記位置決め装置（１００）の前記保持接触部（１３０）と接触する、治療装置。
【請求項８】
請求項７に記載の治療装置であって、
前記少なくとも１の刺激ユニット（２１０，２２０）は、光学刺激ユニット（２１０）および電気刺激ユニット（２２０）の少なくとも一方を有する、治療装置。
【請求項９】
請求項７または請求項８に記載の治療装置であって、
前記刺激装置（２００）は、前記少なくとも１の刺激ユニット（２１０，２２０）と電源（２３０）とを収容する筺体（２４０）を備え、
前記筺体（２４０）は、前記位置決め装置（１００）の前記保持接触部（１３０）と接触するよう配置された前記刺激装置接触部（２５０）を含む、治療装置。
【請求項１０】
請求項７から請求項９のいずれか１項に記載の治療装置であって、
前記刺激装置（２００）の固定部（２６０）であって、前記刺激装置（２００）が前記位置決め装置（１００）に着脱可能に接続するよう構成された固定部（２６０）をさらに備える、治療装置。
【請求項１１】
請求項１０に記載の治療装置であって、
前記固定部（２６０）は、
前記固定部（２６０）が、保持ウェブ（１１２）との接続のために配置されたスパイク（２６１）を含むことと、
前記固定部（２６０）が、前記保持ウェブ（１１２）の端部を収容する収容溝（２６２）を有することと、
前記固定部（２６０）が、筺体（２４０）の外表面に設けられること、のうち少なくとも１を含む、治療装置。
【請求項１２】
刺激システムであって、
請求項７から請求項１１に記載の複数の治療装置（３００）と、
前記治療装置（３００）を制御する制御信号を生成するよう構成された主制御部（４００）と、を備える刺激システム。
【請求項１３】
請求項１２に記載の刺激システムであって、
前記主制御部（４００）は、前記治療装置（３００）の前記刺激装置（２００）を電気的に連結して再充電するインターフェース部（５２０）をさらに含む、刺激システム。
【請求項１４】
刺激装置（２００）であって、
少なくとも１の刺激ユニット（２１０，２２０）と、
前記少なくとも１の刺激ユニット（２１０，２２０）に電力を供給する電源部（２３０）と、
前記刺激装置（２００）の外表面に露出した刺激装置接触部（２５０）と、
を備える刺激装置。
【請求項１５】
刺激を与える対象の人間の身体に電気光学的に刺激を与える刺激方法であって、
請求項１２または請求項１３に記載の、複数の治療装置（３００）を備える刺激システムを準備するステップと、
前記治療装置（３００）を身体表面（１）に位置決めするステップと、
主制御部（４００）を用いて前記治療装置（３００）を制御する制御信号を生成することにより前記治療装置（３００）を作動させるステップと、を有する刺激方法であって、
各刺激装置（２００）の少なくとも１の刺激ユニット（２１０，２２０）が、対応する位置決め装置（１００）の切り替え装置（１４０）で切り替えされる、刺激方法。
【発明の詳細な説明】
【技術分野】
【０００１】
本発明は、治療対象の人間または動物などの有機体の身体表面に、刺激装置を位置決めするよう構成された位置決め装置に関する。また、本発明は、位置決め装置と当該位置決め装置に連結された刺激装置とを備える治療装置に関する。また、本発明は、複数の治療装置と主制御部とを備える刺激システムに関する。また、本発明は、有機体の身体に刺激を与えるよう構成された刺激装置に関する。そして、本発明は、有機体の身体に刺激を与える刺激方法に関する。本発明の利用は、特に電源および／または光源を用いる刺激治療の分野において有用である。
【背景技術】
【０００２】
創傷治癒の向上のために、身体表面を１以上の光源、例えばレーザーダイオードで照射するおよび／または温めることにより、治療対象の人間の身体に局部的に刺激を与えることが知られている。紫外線、可視光線、または赤外線を発する光源が、生物組織への放射線照射に用いられる。例えば、「低出力レーザー治療」（ＬＬＬＴ）の名称で知られる、組織にレーザーを当てる方法が開発されてきた。ＬＬＬＴ法は、特に、光および／または熱を受けることによる細胞または組織における刺激物質関連のプロセスに基づいている（例えば、ＵＳ５４６４４３６参照）。
【０００３】
また、電流を印加することにより身体に刺激を与えてもよい。例えば、ＤＥ２０２０７９５５Ｕ１は、付着により身体表面に電気刺激ユニットが連結された、身体表面に電気的な刺激を与える刺激装置を開示する。この電気刺激ユニットは、電源ケーブルを介して電源に接続されている。この技術は、身体表面に複数の電気刺激ユニットを位置決めする場合には、複数の電源ケーブルが刺激治療の妨げになるため、デメリットとなる。また、電源ケーブルにはある程度の重さがあるため、電気刺激ユニットと身体表面との間の付着による接続に強度が求められる。この場合も、強い付着による接続が対象者の不快感を引き起こし、刺激結果を損なうことになる。
【０００４】
ＤＥ１０１２８６２９Ａ１は、光源と、電源と、制御ユニットとを有するスキンプラスター（皮膚絆創膏：a skin plaster）を開示する。このスキンプラスターは、光学的な刺激によって創傷治癒を向上するよう構成される。スキンプラスターは、電源ケーブルを介して主制御部に接続する必要がないため、身体表面の治療を快適に行うことができ、好都合である。しかしながら、スキンプラスターは、その操作制御の面でデメリットがある。例えば、複数のスキンプラスターが必要とされる場合、従来の装置では光源を同期して切り替えすることができない。別のデメリットとして、ＤＥ１０１２８６２９Ａ１のスキンプラスターの構造は、複雑でコストがかかる。
【０００５】
ＤＥ１０２００４０１８３４０Ａ１は、無線制御されるよう構成された、身体に外部刺激を与える治療デバイスを開示する。この治療デバイスは、身体表面に光学的な刺激を与える刺激装置と、付着により刺激装置を身体表面に位置決めする位置決め装置とを備える。位置決め装置は、刺激装置を制御するための制御信号を受信するアンテナを有する。アンテナは、刺激装置に設けられた制御ユニットと電気的に接続されている。好都合には、アンテナによって受信されて全ての治療デバイスの制御ユニットに送られる無線制御信号により、複数の従来の治療デバイスに同時に電源を入れることができる。また、例えば特定の刺激プログラムを適用するために、異なる制御信号によって異なる治療デバイスを制御することができる。しかしながら、従来の治療デバイスは、実用面では、以下のようなデメリットと制約がある。まず、治療デバイスのサイズを最小化して身体表面への付着固定を容易にすることに対する関心が存在する。しかしながら、これは、刺激装置に含まれる複数の例えば制御ユニット等の要素のために制限されている。また、アンテナによって受信された制御信号を電気的接点を介して刺激装置へ送信することは、例えば接触不良による阻害を引き起こしやすい。別のデメリットとして、異なる治療デバイス間での制御信号の干渉が生じることがあることが知られている。そして、従来の治療デバイスの構造および製造コストは、その大量適用の制約となる恐れがある。
【発明の概要】
【発明が解決しようとする課題】
【０００６】
本発明の第１の目的は、刺激装置を位置決めするよう構成され、また従来の技術のデメリットを回避することができる、改良された位置決め装置を提供することである。特に、本発明の第１の目的は、刺激装置との電気的接続の信頼性および刺激装置の身体表面（例えば人間の皮膚）への付着固定の信頼性が向上した位置決め装置を提供することである。本発明の別の目的は、従来の技術のデメリットを回避することができ、特に操作信頼性が向上した、特にＬＬＬＴ用の、改良された治療装置を提供することである。本発明の別の目的は、複数の治療装置を備える改良された刺激システムを提供することである。本発明のさらに別の目的は、刺激を与える対象の人間の身体に刺激を与えることができ、特に構造の複雑性と製造コストの面で従来の技術のデメリットを回避することができる、改良された刺激装置を提供することである。そして、本発明のまた別の目的は、複数の上記治療装置を用いて例えば光または電気により身体に刺激を与える、改良された治療方法を提供することである。
【０００７】
上記の目的は、それぞれ独立請求項の特徴を有する位置決め装置、治療装置、刺激システム、刺激装置、および治療方法によって解決することができる。本発明の好適な実施形態および利用可能性は、従属請求項に規定される。
【課題を解決するための手段】
【０００８】
本発明の第１の概略局面によれば、上記目的は、有機体の身体表面に刺激装置を付着固定するよう構成される位置決め装置（ホルダー、アプリケーター）であって、付着要素と、アンテナ装置と、保持接触部とを備える位置決め装置によって解決される。付着要素は、概ね、使用時に刺激装置を収容し、身体表面に刺激装置を着脱可能に配置するよう構成されている。好ましくは、付着要素は、収容部を形成することができる柔軟性のある保持部であって、刺激装置を収容部に配置してもよい。刺激装置は、付着要素によって、特に付着固定状態で身体表面に保持されてもよい。アンテナ装置は、付着要素に固定して接続されており、例えば付着要素の材料と一体的に設けられ、またはその表面に固定されている。アンテナ装置は、位置決め装置に連結されたときは、主制御部から刺激装置を制御する制御信号を受信するよう構成される。保持接触部は、付着要素のさらに別の部分である。位置決め装置に連結されたときは、電気的接点に刺激装置が設けられるよう配置される。
【０００９】
本発明によれば、位置決め装置は、さらに付着要素に固定して接続された切り替え装置を備える。切り替え装置は、アンテナ装置と保持接触部とに電気的に接続され、アンテナ装置により受信される制御信号に応えて切り替え機能を果たすよう構成される。切り替え装置は、アンテナ装置と保持接触部との間に電気的に相互接続されている。よって、例えばＤＥ１０２００４０１８３４０Ａ１に記載の従来の技術とは逆に、高周波信号ではなく切り替え信号が保持接触部に印加される。切り替え信号は、接触不良または他の無線制御信号からの影響を受けにくい。また、切り替え装置を設けることにより、刺激装置の構造をより簡易なものとすることが可能となる。刺激装置のサイズおよび重量を最小限にすることができ、よって身体表面への固定をより信頼性の高いものとすることができる。
【００１０】
本発明の第２の概略局面によれば、上記目的は、上記本発明の第１の概略局面に記載の位置決め装置と特に以下の本発明の第４の概略局面に記載の刺激装置とを備え、刺激装置の刺激装置接触部が位置決め装置の保持接触部と電気的に接触するよう刺激装置が位置決め装置に連結された治療装置によって解決される。好ましくは、刺激装置は、使用後に位置決め装置から分離することが可能となるように、位置決め装置に取り外し可能に連結される。
【００１１】
本発明の第３の概略局面によれば、上記目的は、本発明の第２の概略局面に記載の複数の治療装置と、治療装置の刺激装置を制御する各制御信号を生成して送信するよう構成された主制御部とを備える刺激システムによって解決される。
【００１２】
本発明の第４の概略局面によれば、上記目的は、少なくとも１の刺激ユニットと、当該少なくとも１の刺激ユニットに電力を供給する電源部とを備える刺激装置（特に、低出力レーザー治療装置）によって解決される。本発明によれば、刺激装置は、さらに、刺激装置の外表面に配置、好ましくは露出し、切り替え信号を受信するよう構成された刺激装置接触部を備える。刺激装置接触部は、刺激装置接触部に送られる切り替え信号に応えて、例えば所定の刺激パターンにしたがって、少なくとも１の刺激ユニットが直接オンオフされるように、少なくとも１の刺激ユニットと電源部とに電気的に接続されている。好都合には、本発明にかかる刺激装置は、アンテナを介して受信した制御信号を切り替え信号に変換する制御ユニットを含まない。したがって、刺激装置の構造が単純化され、そのサイズおよび重量を最小限に抑えることができる。
【００１３】
そして、本発明の第５の概略局面によれば、上記目的は、本発明の第３の概略局面の刺激システムを用いて刺激を与える対象の人間の身体に刺激を与える治療方法によって解決される。
【００１４】
本発明の好適な実施形態によれば、本発明の位置決め装置の付着要素は、身体表面と接触するよう露出した付着層を少なくとも１つ、好ましくは少なくとも２つ含む。また、付着要素は、１以上の付着層に隣接またはその間に配置された保持ウェブを備えることが好ましく、保持ウェブはアンテナ装置および切り替え装置を保持し、さらに、少なくとも部分的に刺激装置を包むよう構成されている。よって、保持ウェブは、身体表面と組み合わせて、使用時に刺激装置を保持するよう構成される。
【００１５】
本発明の特に好適な実施形態によれば、アンテナ装置および切り替え装置は保持ウェブの外表面に配置され、保持接触部は、保持ウェブの内側、すなわち保持ウェブによって形成される収容部の内側に、刺激装置に面して配置されて露出される。したがって、アンテナ装置への制御信号の送信が向上する。また、切り替え装置への光アクセスが可能となる。切り替え装置が表示灯を備えるよう構成される場合、ユーザーによって切り替え装置の動作状態をモニタすることができる。
【００１６】
本発明の位置決め装置のさらに特に好適な実施形態によれば、アンテナ装置、切り替え装置、および保持接触部は、アンテナ装置と切り替え装置の間の電気的接続距離が最短となるように配置される。特に、刺激装置が位置決め装置に連結される場合、アンテナ装置および切り替え装置の間の電気的接続の長さは、保持接触部を介した切り替え装置から刺激装置への電気的接続の長さよりも短い。好都合には、他の無線制御信号によって劣化するおそれのある制御信号の位置決め装置内の電気的接続を介した送信が最小限に抑えられる。したがって、干渉のリスクを低減することができる。
【００１７】
本発明のさらに好適な実施形態によれば、保持接触部は、刺激装置接触部の対応する接点と接続されることになる２つの接点を含む。切り替え装置は、刺激装置を例えばＨｚ単位からｋＨｚ単位の範囲の周波数を有するパルス形状の切り替え信号によって切り替えることができるように、パルス動作するよう構成してもよい。好ましくは、切り替え装置は、アンテナ装置により受信される制御信号に応えて、接点を電気的に接続するよう構成される。保持接触部の接点は、制御信号によっては切り替え装置により短絡している。言い換えると、刺激装置は、少なくとも１の刺激ユニットと電源部とを備える電気回路を閉鎖することによって切り替え装置で直接的に切り替えることができる。代替的に、切り替え装置の切り替え信号は、刺激装置を作動させる接点を介して送信することができる。
【００１８】
さらに好都合な実施形態によれば、付着要素は使い捨て要素である。付着要素は、使用後に廃品材料として廃棄することができ、刺激装置は、特に一定数の運転サイクル、例えば２０運転・再充電サイクル、再利用可能である。本発明の特に好適な実施形態では、付着要素は、間に保持ウェブを挟んだ２つの付着層を有する絆創膏（an adhesive plaster）である。好都合には、位置決め装置に連結された刺激装置を含む本発明の治療装置は、従来の絆創膏のように簡単に身体表面に貼ることができる。
【００１９】
本発明の刺激装置の好適な実施形態によれば、少なくとも１の刺激ユニットは、光学刺激ユニットおよび電気刺激ユニットの少なくともいずれか一方を有する。好ましくは、刺激装置は、光学刺激ユニットおよび電気刺激ユニットの両方を含む。好適な治療方法では、光学刺激ユニットおよび電気刺激ユニットは、人間が電気刺激電流を光学的な刺激と同時に感じることができるように、同時に駆動される。
【００２０】
本発明の特に好適な実施形態によれば、刺激装置は、低出力レーザー治療の効果を有する刺激を出力するよう構成される。したがって、少なくとも１の刺激ユニットは、可視領域、近赤外領域または赤外領域、特に６００ｎｍ〜１０００ｎｍの領域の単色光を発する１以上のレーザーダイオードを含む光学刺激ユニットを少なくとも含む。光学刺激ユニットは、身体表面に接触して配置することができるように、刺激装置の表面に露出される。好ましくは、光学刺激ユニットは、５００ｍＷ未満、特に３００ｍＷ未満、例えば５０ｍＷなど１００ｍＷ以下の出力電力を出力するよう構成される。表面の治療対象照射領域は、例えば１ｃｍ２以下である。実際の出力密度は、例えば、１０ｍＷ／ｃｍ２または５ｍＷ／ｃｍ２など、２５ｍＷ／ｃｍ２以下である。
【００２１】
本発明の刺激装置のさらに好適な実施形態によれば、少なくとも１の刺激ユニットと電源とを収容する筺体（ハウジング）が設けられる。好ましくは、筺体は、これらの要素を、密封、特に湿密状態で収容する。筺体の一面（底面）には、少なくとも１の刺激ユニット、特に光学刺激ユニットおよび電気刺激ユニットが周囲に露出しており、筐体の第２の、好ましくは反対側の面（上面）には、刺激装置接触部が位置決め装置の保持接触部と接触するよう配置される。好都合には、両接触部の間の電気的接続は、位置決め装置で刺激装置を身体表面に固定するステップだけで確実に閉鎖することができる。
【００２２】
刺激装置が位置決め装置に着脱可能に接続するよう構成された固定部を含む場合、本発明のさらなるメリットが得られる。好都合には、固定部は、刺激装置および位置決め装置の間の機械的接続の信頼性、ひいては電気的接続の信頼性を向上させる。好ましくは、固定部は、位置決め装置の保持ウェブと係合するよう構成されたスパイクおよび／または収容溝を備える。好ましくは、スパイクおよび／または収容溝は、刺激装置筺体の外側に設けられる。
【００２３】
好都合には、刺激装置接触部は、２つの機能を果たすよう構成される。第１に、少なくとも１の刺激ユニットの切り替え動作のために保持接触部と電気的に接続する。第２に、刺激装置接触部は、刺激装置の電源部を再充電するために用いることができる。このため、主制御部または追加の再充電装置は、１以上の刺激装置と電気的に連結してこれを再充電する少なくとも１のインターフェース、好ましくは複数のインターフェースを有することが好ましい。再充電電流は、少なくとも１の刺激ユニットを介して電源に供給することができる、または刺激装置内の回路によって迂回することができる。
【図面の簡単な説明】
【００２４】
【図１】図１は、本発明にかかる位置決め装置の好適な実施形態の斜視図である。
【図２】図２は、本発明にかかる治療装置の好適な実施形態の側面図である。
【図３】図３は、本発明にかかる刺激装置の実施形態の各種の図である。
【図４】図４は、本発明にかかる刺激装置の別の実施形態の各種の図である。
【図５】図５は、本発明にかかる刺激装置の実施形態の内部構造を示す図である。
【図６】図６は、本発明にかかる刺激システムの主制御部の一例である。
【図７】図７は、本発明にかかる刺激システムの再充電装置の一例である。
【発明を実施するための形態】
【００２５】
以下に、本発明の実施形態を、特に、電気刺激ユニットおよび光学刺激ユニットの両方を含む刺激装置の利用に関連して説明する。なお、本発明の実施は例示の実施形態に限定されるものではなく、電気刺激ユニットまたは光学刺激ユニットのみを含む刺激装置においても可能であることを強調しておく。刺激方法の詳細、特に、パルス刺激電流および／またはパルス刺激照射を含む所定の電気的および／または光学的な刺激パターンによる治療法は、先行技術において既知であるため、説明しない。好ましくは、既知のＬＬＬＴの手順にしたがって切り替えられる光学的な刺激パターンＬＬＬＴ治療法が適用される。光学的および電気的な刺激を組み合わせる場合、光学および電気刺激ユニットは、いずれも、同期して動作する、すなわち同時にオンオフされることが好ましい。図面は、模式的に図示するのみである。実際には、図示された要素の詳細は、実用面での要求に応じて修正および適合させることができる。
【００２６】
図１に、付着要素（粘着要素、adhering component）１１０と、アンテナ装置１２０と、保持接触部１３０と、切り替え装置１４０とを備える本発明の位置決め装置１００の好適な実施形態を、模式的に示す。図１Ａは、位置決め装置１００を上から見た斜視図であり、図１Ｂは下から見た斜視図である。
【００２７】
付着要素１１０は、柔軟性のある材料、例えば織物材料および／またはプラスチック材料からなる細長片を備える。実施例では、細長片は、例えば１ｃｍ×５ｃｍの大きさの矩形状である。図１Ａおよび図１Ｂは折り畳み状態での位置決め装置を示しており、よって例えば図３または図４の刺激装置を収容する細長片によって形成される収容部を強調するものとなっている。代替的に、刺激装置と連結されない場合、付着要素１１０の細長片は平面状である。さらに代替的に、折り畳み形状（図示）は、細長片の構造、例えば細長片の長手方向に垂直な折畳部を適切に設けることによって、作り出すことができる。
【００２８】
付着要素１１０の長手方向端部には、それぞれ付着層（粘着層、adhesive layer）１１１を保持する２つのウィングが設けられている。付着層は、身体表面１と接続するために露出している（図２参照）。また、細長片の中央部に、刺激装置を収容する収容部を形成する保持ウェブ（a carrier web）１１２を設ける。
【００２９】
アンテナ装置１２０および切り替え装置１４０は、付着要素１１０の外表面、特に保持ウェブ１１２に配置される。代替的に、付着層１１１を保持するウィングのいずれか一方に配置することもできる。アンテナ装置１２０および切り替え装置１４０は別々の要素を備えることができ、アンテナ装置１２０は、周知のように無線周波数制御信号を受信するアンテナを備え、切り替え装置１４０は、制御信号に応えて切り替え信号を生成、特に保持接触部１３０の接点１３１の間に短絡を形成する回路を備える。代替的に、アンテナ装置１２０および切り替え装置１４０は、いずれも共通の要素として設けられており、例えばアンテナと切り替え装置１４０の切り替え機能を果たす集積回路とを含むトランスポンダー装置として設けられる。
【００３０】
保持接触部１３０は、保持ウェブ１１２の内側にまっすぐな細長片として形成された２つの接点１３１を備える。接点１３１は、切り替え装置１４０に直接的に接続される。接点１３１は、長さが例えば５ｍｍ、幅が例えば１ｍｍの、例えばＣｕを含む。
【００３１】
図２に、図１に示す位置決め装置１００と、図３〜図５を参照して以下に詳細を説明する刺激装置２００とを備える本発明の治療装置３００の実施形態の側面図を模式的に示す。位置決め装置１００の付着要素は、付着層１１１を介して刺激を与える対象の人間の身体表面１に接続される。付着要素の保持ウェブ１１２の上側には、アンテナ装置１２０および切り替え装置１４０が、例えば並んで配置され、刺激装置２００は保持ウェブ１１２によって形成される収容部に収容される。固定された状態では、電気刺激ユニット２１０および光学刺激ユニット２２０は身体表面１の方を向いている。刺激ユニット２１０，２２０を切り替え装置１４０で作動させることにより、所定の刺激手順にしたがって身体に刺激を与えることになる。
【００３２】
図３Ａ〜図３Ｄに、刺激装置２００の第１の実施形態の各種の外観を示す。刺激装置２００は、上面２４１（図３Ａ）と底面２４２（図３Ｄ）とを有する筺体２４０を備える。筺体２４０は、例えばプラスチックまたはスチールからなる。好ましくは、筺体２４０は、筺体２４０の内部空間に湿気や液体が入り込まないよう、そのすべての面が密封されている。上面２４１は、保持接触部１３０に露出した２つの接点２５１を有する刺激装置接触部２５０を含む（図１Ｂ参照）。また、上面２４１は、上面２４１から突出する３つのスパイク２６１（図３Ｂ、図３Ｃ参照）を備える固定部２６０を保持する。刺激装置２００が位置決め装置１００と連結されるとき、スパイク２６１は、刺激装置を位置決め装置１００に固定するよう保持ウェブ１１２内に導入される。
【００３３】
底面２４２には、電気刺激ユニット２１０および光学刺激ユニット２２０が露出している。図３Ｄに示す実施形態では、いずれの刺激ユニットも、内側の光学刺激ユニット２１０：例えば発光ダイオードまたはレーザーダイオード２１１と、外側の刺激電極２２１とが同心配置となっている（図５Ａ参照）。代替的に、複数のレーザーダイオード２１１および／または複数の刺激電極２２１は、刺激装置２００に設けてもよい。
【００３４】
図４に、特に上面２４１および底面２４２とを有する刺激装置２００の別の実施形態の外観を示す。上面２４１は、接点２５１と、２つの収容溝２６２を有する固定部２６０とを含む（図４Ｂ、図４Ｃ参照）。収容溝２６２は、保持ウェブ１１２の端部を収容するよう構成される（図１、図２参照）。
【００３５】
図５に、刺激装置２００の内部を示す。図５Ａによれば、例えばプリント基板などの支持板２４３が筺体２４０内に配置される（図５に不図示）。筺体の底面に対面する支持板２４３の第１の面には、発光ダイオード２１１および刺激電極２２１を有する電気刺激ユニット２１０および光学刺激ユニット２２０が配置される。また、支持板２４３は、例えば再充電可能な蓄電池を備える電源部２３０を保持する。支持板２４３の反対側の面には電気的接点２５１が配置され、筺体２４０の上面２４１に露出している（図３Ａ、図４Ａ参照）。
【００３６】
図５Ｂは、図５Ａの矢印Ｂ側から見た支持板２４３の平面図である。したがって、支持板２４３は、蓄電池２３１および刺激ユニット２１０，２２０を保持する。また、図５Ｃは、図５Ａの矢印Ｃ側から見た支持板２４３平面図であり、接点２５１を含む。
【００３７】
図６および図７に、主制御部４００および再充電装置５００を示す。これらは、独立した装置として設けることができ（図示）、または代替的に共通の装置として一体的に設けることもできる。図６の主制御部４００は、ハウジング４１０と、送信アンテナ４２０と、第１ディスプレイ４３１および第２ディスプレイ４３２を有するディスプレイ装置４３０と、第１セレクター４４１および第２セレクター４４２を有するセレクター装置４４０と、スタートスイッチ４５０と、音声アラーム装置４６０とを備える。第１ディスプレイ４３１は第１セレクター４４１で選択した刺激手順の時間のプログラムを表示し、第２ディスプレイ４３２は第２セレクター４４２で選択した刺激手順の頻度のプログラムを表示する。音声アラーム装置４６０は、刺激手順の終了を示すために用いることができる。
【００３８】
図７の充電装置５００（部分的に図示）は、ハウジング５１０と、複数のインターフェース部５２０（例えば８または１２）と、複数の対応する充電状態ディスプレイ装置５３０と、複数の対応する警報ディスプレイ装置５４０（インターフェース部５２０に１：１で対応）とを備える。インターフェース部５２０は、刺激装置２００を電気的に連結して再充電するよう構成される。好ましくは、インターフェース５２０は、刺激装置２００の筺体２４０の外形に適合した形状をしている。充電は、刺激装置２００の接点２５１を用いて直接行うことができる（例えば、図３Ａ、図４Ａ参照）。
【００３９】
実用においては、本発明の刺激システムは、複数の治療装置３００（図２による）と、主制御部４００と、任意で一体的に設けられた再充電装置５００とを含む。治療装置３００は、治療対象の人間の身体表面に、取り外し可能に分散して付着固定される。刺激手順の時間および頻度のプログラムは、ユーザーが主制御部４００の第１セレクター４４１および第２セレクター４４２で選択する。スタートスイッチ４５０を作動させることによって、治療装置３００の動作が開始される。制御信号は、送信アンテナ４２０を介して治療装置３００のアンテナ装置１２０へ送信される。切り替え装置１４０は、選択された時間および頻度のプログラムのパラメータで刺激装置２００の接点２５１を閉鎖し、選択された時間および頻度のプログラムにしたがって電気刺激ユニット２１０および光学刺激ユニット２２０の動作が開始される。刺激時間が終了すると、音声アラーム装置４６０からアラーム信号が発せられる。治療装置３００が身体表面１から分離される。その後、位置決め装置１００の付着要素１１０が廃棄され、次の使用のために例えば再充電装置５００を用いて刺激装置２００が準備される。
【００４０】
上記説明、図面、および請求項に記載した本発明の特徴は、単独または結合もしくは小結合にて、各種の実施形態における本発明の実現に重要となりうる。
【図１】
2016052505.tif 000003
【図２】
2016052505.tif 000004
【図３】
2016052505.tif 000005
【図４】
2016052505.tif 000006
【図５】
2016052505.tif 000007
【図６】
2016052505.tif 000008
【図７】
2016052505.tif 000009
【外国語明細書】
2016052505000001.pdf